(57)【要約】【課題】  駐車場利用者に対して適正かつ公平な駐車料金割引サービスを簡単に付与することができ、利用者もそのサービス内容を簡単に認知できる駐車場管理システムを提供することを目的とする。【解決手段】  駐車場にて発行されるＩＣカード１と、ＩＣカード１に対して情報の読み書きを行うリードライト手段２と、駐車場にて発行されたＩＣカード１に入力されている駐車場情報をリードライト手段２を介して認識すると共に入力される利用情報に応じた所定のサービスポイント情報をリードライト手段２を介してＩＣカード１に書き込ませる認証処理部４と、認証処理部４と接続され駐車場情報及びサービスポイント情報を駐車場利用者に対して表示する液晶表示画面部３と、を備えたものである。【選択図】  図４
2005165780.tif 000002
【特許請求の範囲】
【請求項１】
駐車場にて発行されるＩＣカード（１）と、該ＩＣカード（１）に対して情報の読み書きを行うリードライト手段（２）と、駐車場にて発行されたＩＣカード（１）に入力されている駐車場情報を該リードライト手段（２）を介して認識すると共に入力される利用情報に応じた所定のサービスポイント情報を該リードライト手段（２）を介して該ＩＣカード（１）に書き込ませる認証処理部（４）と、該認証処理部（４）と接続され該駐車場情報及び／又は該サービスポイント情報を駐車場利用者に対して表示する液晶表示画面部（３）と、を備えたことを特徴とする駐車場管理システム。
【請求項２】
上記利用情報は金額情報とされ、上記認証処理部（４）は、金額情報の入力を可能とするテンキー（８）と接続されている請求項１記載の駐車場管理システム。
【請求項３】
上記利用情報は金額情報とされ、上記認証処理部（４）は、外部レジスタ（９）にて算出された金額情報の入力を可能とするインターフェース（10）と接続されている請求項１又は２記載の駐車場管理システム。
【請求項４】
上記液晶表示画面部（３）は、内部に予め保存された又は外部から入力されたコンテンツ情報の表示を行わせる映像処理部（５）と接続されている請求項１，２又は３記載の駐車場管理システム。
【請求項５】
上記リードライト手段（２）は、上記ＩＣカード（１）に対する情報の読み書きを非接触式としている請求項１，２，３又は４記載の駐車場管理システム。
【請求項６】
上記液晶表示画面部（３）が正面側に設けられ、背面側に管理者が操作する操作パネル部（６）が設けられ、該液晶表示画面部（３）と該操作パネル部（６）と上記認証処理部（４）と上記リードライト手段（２）とが卓上型の一体ユニットとされている請求項１，２，３，４又は５記載の駐車場管理システム。
【発明の詳細な説明】
【技術分野】
【０００１】
本発明は、駐車場利用者に対し駐車料金割引サービスを与えることのできる駐車場管理システムに関するものである。
【背景技術】
【０００２】
商業店舗、遊戯場等が所有・管理する駐車場において、これら施設を利用した者に対し、施設の利用に応じた駐車料金の無料・割引サービスを与えるシステムが知られている。  そして、駐車料金の無料・割引サービスについて、施設利用者とその他の者との間において差別化を図る駐車場管理システムが提案されている（例えば、特許文献１参照）。
【０００３】
この駐車場管理システムは遊戯場におけるものであり、遊戯場の利用者毎に発行される顧客カードを遊戯機に備えた遊戯情報書き込み手段に差し込むことにより、遊戯が行われたこと及び日付が、顧客カードに認証情報として記録され、駐車料金割引サービスを受けることとなる。
また、従来の駐車場管理システムは、駐車場入庫時に紙や磁気カードを媒体とした駐車券を利用者に発行し、発行された駐車券に、利用者による店舗等での購入金額に応じた駐車料金の無料・割引のサービスを、認証情報として記録させている。
【特許文献１】特開平８−２２１６１８号公報
【発明の開示】
【発明が解決しようとする課題】
【０００４】
従来のこのような認証を行うシステムでは、駐車場から自動車を出庫させる際の精算時でないと、駐車場利用者がその認証情報の正当性の判断ができない。つまり、利用者は、施設の利用途中に、現在与えられている駐車料金割引サービスの程度が判らないという欠点を有している。
【課題を解決するための手段】
【０００５】
本発明に係る駐車場管理システムは、駐車場にて発行されるＩＣカードと、該ＩＣカードに対して情報の読み書きを行うリードライト手段と、駐車場にて発行されたＩＣカードに入力されている駐車場情報を該リードライト手段を介して認識すると共に入力される利用情報に応じた所定のサービスポイント情報を該リードライト手段を介して該ＩＣカードに書き込ませる認証処理部と、該認証処理部と接続され該駐車場情報及び／又は該サービスポイント情報を駐車場利用者に対して表示する液晶表示画面部と、を備えたものである。
また、上記利用情報は金額情報とされ、上記認証処理部は、金額情報の入力を可能とするテンキーと接続されている。また、上記利用情報は金額情報とされ、上記認証処理部は、外部レジスタにて算出された金額情報の入力を可能とするインターフェースと接続されている。
【０００６】
また、上記液晶表示画面部は、内部に予め保存された又は外部から入力されたコンテンツ情報の表示を行わせる映像処理部と接続されている。
また、上記リードライト手段は、上記ＩＣカードに対する情報の読み書きを非接触式としている。
また、上記液晶表示画面部が正面側に設けられ、背面側に管理者が操作する操作パネル部が設けられ、該液晶表示画面部と該操作パネル部と上記認証処理部と上記リードライト手段とが卓上型の一体ユニットとされている。
【発明の効果】
【０００７】
本発明の駐車場管理システムによれば、例えば商業店舗において商品を購入し精算する際に、購入金額に応じた駐車料金割引サービスの認証がされてＩＣカードにその情報が入力される。さらに、サービスポイント情報として駐車料金割引サービスの度合いを、駐車場情報として駐車場の利用時間を、店舗での精算時に利用者に参照させることができる。  また、簡単に利用度（購入金額）に応じたサービスを与えることができ、公平なサービスを付与することができる。
【０００８】
外部レジスタと接続すれば、外部レジスタによる精算額をそのまま、サービスポイント情報に変換してＩＣカードに入力させることができ、操作の煩わしさをなくすることができる。
さらに、サービスの認証、参照を行わない時は、例えば、店舗のコマーシャル等の各種情報（コンテンツ情報）を液晶表示画面部に表示させることができる。
また、媒体をＩＣカードとすることで、媒体の再利用が可能である。
【発明を実施するための最良の形態】
【０００９】
図１は、本発明に係る駐車場管理システムを採用する施設（店舗）11と駐車場12とを示す全体構成図であり、このシステムは、施設（店舗）11が所有・管理する駐車場12における駐車料金の割引サービスを利用者に付与するものである。
施設11は、商業店舗、銀行、遊戯場等があり、また、商業店舗には、デパート、スーパーマーケット、多数の小規模店舗を有するもの、商店街等がある。または、施設11はこれらの複合施設であってもよい。
【００１０】
そして、図２と図３は、各店舗等に設置される駐車場管理端末（認証装置）７の正面と背面の斜視図である。
図４の全体構成図に示すように、このシステムは、駐車場12にて駐車場カード（駐車券）として発行されるＩＣカード１と、ＩＣカード１に対して情報の読み書きを行うリードライト手段２と、各種情報の処理を行う認証処理部４と、認証処理部４と接続される液晶表示画面部３（液晶ディスプレイ）と、を備えている。
【００１１】
図２と図３に示すように、端末７は、液晶表示画面部３が正面側に設けられ、背面側に管理者が操作する操作パネル部６が設けられている。そして、液晶表示画面部３と操作パネル部６と認証処理部４とリードライト手段２とが卓上型の一体ユニットとされている。  つまり、端末７は、図１に示すように、各店舗内のレジカウンター等に載置され、施設11側の管理者（店舗係員）と施設利用者（顧客）との間において、店内にて、駐車料金割引サービスの認証と参照ができる。
【００１２】
端末７についてさらに説明すると、端末７は、レジカウンター等に載置させる水平盤状（偏平ボックス状）の本体部31と、本体部31の略中央部から立設状となり液晶表示画面部３が設けられる区画壁部32と、を有し、区画壁部32を挟んで、本体部31の一方側上面にリードライト手段２のＩＣカード載置面が設けられ、本体部31の他方側上面に操作キー19（テンキー８）が設けられている。そして、液晶表示画面部３は、区画壁部32のリードライト手段２側の面に設けられて、リードライト手段２側が利用者側（正面側）となり、また、区画壁部32の操作キー19側の面には、管理者（店舗係員）側が参照する表示パネル13が設けられて、操作キー19側が店舗側（背面側）となる。
また、液晶表示画面部３及び表示パネル13は、利用者及び管理者に対して見えやすくするよう、上方に向かって面するよう傾斜配置されている。
【００１３】
ＩＣカード１はＩＣチップを内蔵したカード型のもので、従来より知られているものが利用できる。
また、リードライト手段２は、このＩＣカード１に対して情報の読み書きを非接触式として行うものであり、従来より知られているものが利用できる。具体的に説明すると、リードライト手段２は、図４に示すように、ＩＣカード１に対するアンテナ基盤15と、アンテナ基盤15と接続されるＩＣカードＣＰＵ基盤16とを有し、ＣＰＵ基盤16が認証処理部４に接続されている。
【００１４】
認証処理部４は、一体ユニットとされた端末７内の演算機能部であり、ＣＰＵ、メモリ等を有するマイコンにて構成され、予め用意されたプログラムに従って所定の動作を行うものである。
認証処理部４は、駐車場12にて発行されたＩＣカード１に入力されている駐車場情報（例えば、入庫時間データ）をリードライト手段２を介して認識すると共に、後述するテンキー８や外部レジスタ９から入力される利用情報（例えば、購入した金額情報）に応じた所定のサービスポイント情報（例えば、駐車料金割引データ）をリードライト手段２を介してＩＣカード１に書き込ませるものである。
【００１５】
また、液晶表示画面部３は、認証処理部４と接続され認証処理部４の働きにより各種情報を表示するものであり、駐車場情報及びサービスポイント情報を（或いは、駐車場情報又はサービスポイント情報を選択的に）駐車場利用者に対して表示するものである。液晶表示画面を採用することで、多種の画像、動画の表示が可能となり、利用者に対して判りやすい情報の参照、表示が可能となる。
【００１６】
そして、上記利用情報を、利用者が店舗等にて商品を購入した代金である金額情報とした場合、その金額情報の認証処理部４への入力は、認証処理部４と接続されるテンキー８にて行う。また、テンキー８は、端末７の操作パネル部６に設けられており、四則演算が可能な計算機機能を有する。
【００１７】
また、操作パネル部６は、図３に示すように、テンキー８の他に、カーソルキー、各種関数キーを有する操作キー19と、管理者（店舗係員）側が参照する店舗側表示パネル13とを備える。
表示パネル13は、液晶表示画面とするのが好ましいが、少なくとも、金額情報と、ＩＣカード１へ与えたサービスポイント情報と、認証が適切に行われたことを、表示できるものであればよく、利用者への参照を行う液晶表示画面部３よりも小さなサイズの画面として端末７のコストを下げている。
【００１８】
また、上記利用情報を金額情報とした場合のその金額情報の認証処理部４への入力は、端末７とは別の外部レジスタ９により行ってもよい。つまり、認証処理部４は、外部レジスタ９にて算出された金額情報の入力を可能とするインターフェース10と接続されている。なお、インターフェース10は、端末７内部に設けられ、端末７の操作パネル部６側に、外部レジスタ９からの通信ケーブルを接続可能とするポート14（図３参照）を有する。
【００１９】
さらに説明すると、購入金額の精算機として機能する外部レジスタ９を購入金額の合計を金額情報としてデータ出力可能なものとし、通信ケーブルにて、その金額情報を外部レジスタ９からインターフェース10を介して認証処理部４へ入力させるよう構成すればよい。
これによれば、利用者の購入金額を再度テンキー８にて認証処理部４に入力することなく、外部レジスタ９から利用情報（金額情報）を端末７に自動的に入力させ、それに応じた所定のサービスポイント情報をＩＣカード１に与えることができる。
【００２０】
また、液晶表示画面部３は、端末７内部に設けた映像処理部５と接続されており、映像処理部５は、その内部に予め保存させた又は外部から入力された動画や静止画のコンテンツ情報の表示を行わせるものであり、サービスポイント情報の認証、参照処理を行っていない際に、コンテンツ情報を液晶表示画面部３に表示させている。
即ち、図５のブロック図に示すように、映像処理部５が有するメモリ17内に予め保存された画像情報を、映像処理部５が有する映像表示制御部20が読み込んで、液晶表示画面部３に表示させたり、端末７とは別の外部の映像配信機18から、通信ケーブルやネットワークを介して送信された画像情報を、インターフェース21から受信し、映像表示制御部20が読み込んで、液晶表示画面部３に表示させている。
そして、リードライト手段２の所定位置にＩＣカード１がセットされると（載せられると）、認証処理部４と映像処理部５との連動した働きにより、コンテンツ情報からサービスポイント情報の参照画面に自動的に切り換えられる。
【００２１】
次に、図１の全体構成図、図５に示すブロック図、及び、図６から図12に示すフローチャートにより、本発明の駐車場管理システムの動作について説明する。
図１に示すように、駐車場12の入り口ゲート22には、入り口発券機23と、入り口遮断機24と、が設置されている。
そして、図６において、入り口ゲート22に自動車が到来すると（駐車場入庫）、図７の駐車場入庫処理がなされる。
【００２２】
入り口発券機23は、定期顧客用と一時顧客用とが２台設けられ（又は、これらを１台の発券機23にて共通化してもよい）、一時顧客用の場合は、発券機23の発券ボタン（図示省略）を押すと、発券機23にて入庫時間が入力されたＩＣカード１（駐車場カード）が発行され、遮断機24が開く。
また、定期顧客用の発券機23が利用される場合は、定期顧客が既に所有するＩＣカード１（マイ駐車場カード）を発券機23に挿し入れ、入庫情報書き込み処理がなされ、遮断機24が開く。以下、ＩＣカード１を、駐車場カードと呼んで説明する。
【００２３】
そして、一時顧客用として駐車場カードを受け取った利用者は、店舗にて買い物などを行い、駐車料金割引サービスを受けるための認証及びそのサービス情報の参照を図８のように行う。
図８のフローチャートは、端末７における処理を示すものであり、電源が入れられた端末７は、初期処理が行われ、待ち受け画面処理が行われる。待ち受け画面処理は、図９に示すように、端末７には、駐車場カードの待ち受け初期画面（図13（イ））を表示する待ち受けモード、又は、コンテンツ配信モード（図示省略）との２種類が用意されており、切り換え自在とされている。
コンテンツ配信モードでは、映像処理部５の働きにより、内部に予め保存された又は外部から入力されたコンテンツ情報の表示を液晶表示画面部３にて行わせる。
【００２４】
そして、図８に戻って、ＩＣカード１である駐車場カードが、端末７のリードライト手段２の所定位置に載置（セット）されると、端末７は駐車場カード参照処理を行う。この処理は、図10に示すように、リードライト手段２にて定期顧客用の駐車場カードがセットされたことのフラグが立てられると、認証処理部４は駐車場カードから定期顧客用の情報を認識し、映像処理部５の働きにより液晶表示画面部３にその表示をさせる処理を行う。
【００２５】
また、一時顧客の場合は、駐車場カードに記録されている駐車場情報、サービスポイント情報を液晶表示画面部３に表示させる処理を行う。
具体的には、図13（ロ）に示すような表示が液晶表示画面部３になされ、駐車場情報として入庫時間、サービスポイント情報として現時点で付与されている駐車ポイント（加点状況）、そして、その駐車ポイントに対応する無料駐車時間が表示される。
【００２６】
そして、図８に示すように、利用者が買い物等を行い、買い物をした店舗にある端末７にて、駐車料金割引サービスとなる無料ポイントの付加を行う場合、駐車場カードポイント付加処理が行われる。なお、この処理が終了し、駐車場カードを端末７から取り外すと、上記の待ち受け画面処理状態に戻る。
【００２７】
図11が駐車場カードポイント付加処理を説明するフローチャートであり、リードライト手段２にセットされた駐車場カードに対し、以下の処理が認証処理部４の働きにて行われる。
図11と図５とにより（「固定ポイント付加」工程及び「外部レジスタ連係」工程を省略してまず）説明すると、駐車場カードがセットされた状態にある端末７において、店舗係員が売上金額（利用者の購入金額）を操作キー19のテンキー８により入力すると、認証処理部４が有する無料駐車時間算出部25が、入力された金額を金額情報として認識し、その金額情報に応じた所定のサービスポイント情報を算出する。
【００２８】
例えば、金額５００円毎に１ポイントを付与（加点）し、１ポイントが３０分の駐車料金割引サービスとなるよう初期情報として設定されており、この初期情報は、認証処理部４が有するメモリ26にて保存されている。
また、駐車場カードに既にポイントが付加されている場合は、その情報がリードライト手段２を介して読み込まれ、認証処理部４が有する累計ポイント記憶部27にそのポイント情報が記憶されている。そして、無料駐車時間算出部25では、累計ポイント記憶部27に記憶されているポイントと、無料駐車時間算出部25にて算出されたポイントとが合算され、リードライト手段２を介して、合計のサービスポイント情報を駐車場カードに書き込み、かつ、その情報を映像表示制御部20の動作により液晶表示画面部３に表示させる。
【００２９】
この際の液晶表示画面部３における具体的な表示は図13（ハ）と図13（ニ）であり、映像表示制御部20の動作により、所定時間だけ図13（ハ）の付加ポイント表示を行い、その後、図13（ニ）のポイント付加後のサービスポイント情報と駐車場情報の総合表示であるポイント加点処理終了表示に切り替わる。
【００３０】
また、売上金額を操作キー19にて行うことなく、端末７が外部レジスタ９との連係を行う場合、外部レジスタ９から金額情報が無料駐車時間算出部25に入力される。その後の動作は、上記と同様である（「外部レジスタ連係」工程）。
【００３１】
また、利用情報としては、金額情報以外に、駐車場カードが端末７のリードライト手段２にセットされたことの情報であってもよい。つまり、認証処理部４は、金額情報の有無にかかわらず、駐車場カードをセットするだけで、所定のサービスポイント情報（固定ポイント）を駐車場カードに付加、記録させるようにしてもよい（「固定ポイント付加」工程）。
【００３２】
固定ポイントを駐車場カードに付加する好ましい形態としては、利用者が駐車場を利用して来場する施設が商業店舗ではなく、例えば、銀行や郵便局等の場合である。この場合、端末７を銀行等の窓口に設置し、銀行等にて用事を済ませた利用者に対して窓口にてこの固定ポイントを与えるようにすればよい。そして、この場合の液晶表示画面部３の表示は、例えば図14のようになる。
【００３３】
そして、サービスポイント情報が認証された駐車場カードを所有する利用者が、駐車場から出る場合の駐車場出庫処理について説明すると、図１に示すように、出口ゲート28には、精算機29と出口遮断機30とが設置され、図12のフローチャートに示すように、駐車場カードが精算機29に挿入されると、精算機29にて駐車料金の精算処理が行われる。
利用者は、料金の不足分があれば精算機29に残金を投入し、又は、駐車場利用時間以上の無料駐車時間となるサービスポイント情報が駐車場カードに付与されていれば、遮断機29が開き、駐車場12から退場できる。
【００３４】
また、駐車場カードはＩＣカード１とされるため、ＩＣカード１は、使用毎（精算機29にて回収毎）に殺菌消毒されて再利用できる。つまり、駐車場12の出口ゲート28の精算機29に差し込まれたＩＣカード１は、精算処理がなされると回収され、その後、殺菌消毒され、再度駐車場12の入り口ゲート22の発券機23に蓄えられ、駐車場利用者に対して発行される。
これにより、従来では磁気カードが使用後に廃棄されていたのとは異なり、資源の無駄使いを防ぎ、環境問題が考慮されたシステムとできる。
【００３５】
以上のように、本発明によれば、駐車場にて発行されるＩＣカード１と、ＩＣカード１に対して情報の読み書きを行うリードライト手段２と、駐車場にて発行されたＩＣカード１に入力されている駐車場情報をリードライト手段２を介して認識すると共に入力される利用情報に応じた所定のサービスポイント情報をリードライト手段２を介してＩＣカード１に書き込ませる認証処理部４と、認証処理部４と接続され駐車場情報及び／又はサービスポイント情報を駐車場利用者に対して表示する液晶表示画面部３と、を備えたものであるため、例えば商業店舗において商品を購入し精算する際に、購入金額に応じた駐車料金割引サービスの認証がされてＩＣカード１にそのポイント情報が入力される。さらに、サービスポイント情報としてその割引サービスを、駐車場情報として駐車場の利用時間を、店舗での精算時に利用者に参照させることができる。
また、簡単に利用度（購入金額）に応じたサービスを与えることができ、公平なサービスを付与することができる。
【００３６】
また、上記利用情報は金額情報とされ、認証処理部４は、金額情報の入力を可能とするテンキー８と接続されているため、簡単にＩＣカード１にサービスポイント情報の付加ができる。
また、上記利用情報は金額情報とされ、認証処理部４は、外部レジスタ９にて算出された金額情報の入力を可能とするインターフェース10と接続されているため、外部レジスタ９による精算額をそのまま、サービスポイント情報に変換してＩＣカード１に入力させることができ、操作の煩わしさをなくすることができる。
【００３７】
また、液晶表示画面部３は、内部に予め保存された又は外部から入力されたコンテンツ情報の表示を行わせる映像処理部５と接続されているため、駐車料金割引サービスの認証、参照処理を行わない時は、店舗のコマーシャル等の各種情報（コンテンツ情報）を液晶表示画面部３に表示させることができる。
【００３８】
また、リードライト手段２は、ＩＣカード１に対する情報の読み書きを非接触式としているため、ＩＣカード１をリードライト手段２の所定の位置に載置させるのみで、情報の読み書きが可能で、操作が非常に簡単である。
【００３９】
液晶表示画面部３が正面側に設けられ、背面側に管理者が操作する操作パネル部６が設けられ、液晶表示画面部３と操作パネル部６と認証処理部４とリードライト手段２とが卓上型の一体ユニットとされているため、利用者（顧客）、管理者側とも情報の認証が正しく行われたかの判断がその場で可能となり、また、このユニット（装置）の設置の煩わしさがなく、本システムの採用が容易となる。
【図面の簡単な説明】
【００４０】
【図１】本発明に係る駐車場管理システムを採用する施設と駐車場とを示す全体構成図である。
【図２】駐車場管理端末の正面斜視図である。
【図３】駐車場管理端末の背面斜視図である。
【図４】駐車場管理システムの全体構成図である。
【図５】駐車場管理端末のブロック図である。
【図６】駐車場入庫から出庫までのフローチャートである。
【図７】駐車場入庫処理を説明するフローチャートである。
【図８】駐車場カード認証参照処理を説明するフローチャートである。
【図９】待ち受け画面処理を説明するフローチャートである。
【図１０】駐車場カード参照処理を説明するフローチャートである。
【図１１】駐車場カードポイント付加処理を説明するフローチャートである。
【図１２】駐車場出庫処理を説明するフローチャートである。
【図１３】液晶表示画面部の表示内容を示す図である。
【図１４】液晶表示画面部の表示内容を示す図である。
【符号の説明】
【００４１】
１  ＩＣカード
２  リードライト手段
３  液晶表示画面部
４  認証処理部
５  映像処理部
６  操作パネル部
８  テンキー
９  外部レジスタ
10  インターフェース
【図１】
2005165780.tif 000003
【図２】
2005165780.tif 000004
【図３】
2005165780.tif 000005
【図４】
2005165780.tif 000006
【図５】
2005165780.tif 000007
【図６】
2005165780.tif 000008
【図７】
2005165780.tif 000009
【図８】
2005165780.tif 000010
【図９】
2005165780.tif 000011
【図１０】
2005165780.tif 000012
【図１１】
2005165780.tif 000013
【図１２】
2005165780.tif 000014
【図１３】
2005165780.tif 000015
【図１４】
2005165780.tif 000016